(57)【要約】【課題】ろ過膜の二次側の配管に空気が混入して、サイホン作用が失われることを抑制すること、又はサイホン作用が失われた場合であっても、サイホン作用を利用した膜ろ過処理を短時間で再開することが可能な膜ろ過装置を提供する。【解決手段】内部に被処理水が供給され、前記被処理水に浸漬されたろ過膜２４を備えた浸漬槽２６を有し、前記被処理水がろ過膜２４を透過して得られた処理水をサイホン作用を利用して、ろ過膜２４の二次側に接続された排出ライン（配管１→２→３→４）から、処理水槽２８に排出する膜ろ過処理を行う膜ろ過装置２０において、処理水槽２８の処理水を前記排出ラインから導入して、前記排出ラインにおけるろ過膜２４の二次側近傍からから排出する（配管８→６→９→２→１０）ブロー処理を行う。【選択図】図１
2018143964.tif 000002
【特許請求の範囲】
【請求項１】
内部に被処理水が供給され、前記被処理水に浸漬されたろ過膜を備えた浸漬槽を有し、前記被処理水が前記ろ過膜を透過して得られた処理水をサイホン作用を利用して、前記ろ過膜の二次側に接続された排出ラインから、処理水槽に排出する膜ろ過処理を行う膜ろ過装置において、
前記処理水槽の処理水を前記排出ラインに導入して、前記排出ラインにおける前記ろ過膜の二次側近傍から排出するブロー処理を行うブロー手段を備えることを特徴とする膜ろ過装置。
【請求項２】
前記ブロー手段は、前記膜ろ過処理において、前記排出ラインにおける処理水流量が閾値以下となった場合、及び前記ろ過膜の二次側の圧力が閾値以下となった場合の少なくともいずれか一方を満たす場合に、前記ブロー処理を行うことを特徴とする請求項１に記載の膜ろ過装置。
【請求項３】
前記排出ラインは、一方が前記ろ過膜の二次側に接続され、前記浸漬槽の上方まで立ち上がる立ち上がり配管を有し、前記ブロー手段は、前記立ち上がり配管に接続され、前記処理水を系外に排出するブロー配管を有することを特徴とする請求項１又は２に記載の膜ろ過装置。
【請求項４】
内部にろ過膜を有する浸漬槽に被処理水を供給し、前記被処理水に浸漬された前記ろ過膜を透過した処理水をサイホン作用を利用して、前記ろ過膜の二次側に接続された排出ラインから、処理水槽に排出する膜ろ過工程を有する膜ろ過方法において、
前記処理水槽の処理水を前記排出ラインに導入して、前記排出ラインにおける前記ろ過膜の二次側近傍から排出するブロー工程を備えることを特徴とする膜ろ過方法。
【請求項５】
前記膜ろ過工程において、前記排出ラインにおける処理水流量が閾値以下となった場合、及び前記ろ過膜の二次側の圧力が閾値以下となった場合の少なくともいずれか一方を満たす場合に、前記ブロー工程を行うことを特徴とする請求項４に記載の膜ろ過方法。
【請求項６】
内部に被処理水が供給され、前記被処理水に浸漬されたろ過膜を備えた浸漬槽を有し、前記被処理水が前記ろ過膜を透過して得られた処理水をサイホン作用を利用して、前記ろ過膜の二次側に接続された排出ラインから、処理水槽に排出する膜ろ過処理を行う膜ろ過装置のブロー装置であって、
前記処理水槽の処理水を前記排出ラインに導入して、前記排出ラインにおける前記ろ過膜の二次側近傍から排出するブロー処理を行うことを特徴とする膜ろ過装置のブロー装置。
【請求項７】
前記ブロー装置は、前記膜ろ過処理において、前記排出ラインにおける処理水流量が閾値以下となった場合、及び前記ろ過膜の二次側の圧力が閾値以下となった場合の少なくともいずれか一方を満たす場合に、前記ブロー処理を行うことを特徴とする請求項６に記載の膜ろ過装置のブロー装置。
【発明の詳細な説明】
【技術分野】
【０００１】
本発明は、浸漬型のろ過膜を用いた膜ろ過装置、膜ろ過方法、及び膜ろ過装置のブロー装置に関する。
【背景技術】
【０００２】
従来、浄水、下水、し尿、産業排水等を処理する水処理装置として、浸漬型の膜ろ過装置がある。浸漬型の膜ろ過装置は、浸漬槽に浸漬したろ過膜を用いて被処理水を膜ろ過するものであり、シンプルでコンパクトな装置構成で確実な固液分離を行えるという利点を有している。
【０００３】
また、このような浸漬型の膜ろ過装置には、浸漬槽の水位と処理水槽の水位との水位差によるサイホン作用を利用して、ろ過膜を透過した透過水（処理水）を処理水槽に排出するサイホン式の膜ろ過装置が知られている（例えば、特許文献１，２参照）。
【先行技術文献】
【特許文献】
【０００４】
【特許文献１】特開２００３−２５１３４６号公報
【特許文献２】特開２００１−７０９３８号公報
【発明の概要】
【発明が解決しようとする課題】
【０００５】
ところで、サイホン式の膜ろ過装置では、ろ過膜の二次側に接続され、ろ過膜を透過した透過水を処理水槽に排出する配管に空気が混入し、それを放置しておくと、サイホン作用が失われて、膜ろ過処理が停止してしまう場合がある。この場合、ろ過膜の二次側の配管に設置される吸引ポンプを稼働させて、被処理水をろ過膜に透過させ、その透過水をろ過膜の二次側の配管から処理水槽に強制的に送ることで、配管内の空気を除く方法がある。
【０００６】
この方法によれば、配管内は透過水で満水になるため、サイホン作用を利用した膜ろ過処理を再開することは可能であるが、配管内を透過水で満水にするまでには時間が掛かるため、サイホン作用を利用した膜ろ過処理を再開するまでに多くの時間を要することになる。
【０００７】
そこで、本発明の目的は、ろ過膜の二次側の配管に空気が混入して、サイホン作用が失われることを抑制すること、又はサイホン作用が失われた場合であっても、サイホン作用を利用した膜ろ過処理を短時間で再開することが可能な膜ろ過装置、膜ろ過方法及び膜ろ過装置のブロー装置を提供することである。
【課題を解決するための手段】
【０００８】
本実施形態は、内部に被処理水が供給され、前記被処理水に浸漬されたろ過膜を備えた浸漬槽を有し、前記被処理水が前記ろ過膜を透過して得られた処理水をサイホン作用を利用して、前記ろ過膜の二次側に接続された排出ラインから、処理水槽に排出する膜ろ過処理を行う膜ろ過装置において、前記処理水槽の処理水を前記排出ラインに導入して、前記排出ラインにおける前記ろ過膜の二次側近傍から排出するブロー処理を行うブロー手段を備える膜ろ過装置である。
【０００９】
また、前記膜ろ過装置において、前記ブロー手段は、前記膜ろ過処理において、前記排出ラインにおける処理水流量が閾値以下となった場合、及び前記ろ過膜の二次側の圧力が閾値以下となった場合の少なくともいずれか一方を満たす場合に、前記ブロー処理を行うことが好ましい。
【００１０】
前記排出ラインは、一方が前記ろ過膜の二次側に接続され、前記浸漬槽の上方まで立ち上がる立ち上がり配管を有し、前記ブロー手段は、前記立ち上がり配管に接続され、前記処理水を系外に排出するブロー配管を有することが好ましい。
【００１１】
また、本実施形態は、内部にろ過膜を有する浸漬槽に被処理水を供給し、前記被処理水に浸漬された前記ろ過膜を透過した処理水をサイホン作用を利用して、前記ろ過膜の二次側に接続された排出ラインから、処理水槽に排出する膜ろ過工程を有する膜ろ過方法において、前記処理水槽の処理水を前記排出ラインに導入して、前記排出ラインにおける前記ろ過膜の二次側近傍から排出するブロー工程を備える膜ろ過方法である。
【００１２】
また、前記膜ろ過方法では、前記膜ろ過工程において、前記排出ラインにおける処理水流量が閾値以下となった場合、及び前記ろ過膜の二次側の圧力が閾値以下となった場合の少なくともいずれか一方を満たす場合に、前記ブロー工程を行うことが好ましい。
【００１３】
また、本実施形態は、内部に被処理水が供給され、前記被処理水に浸漬されたろ過膜を備えた浸漬槽を有し、前記被処理水が前記ろ過膜を透過して得られた処理水をサイホン作用を利用して、前記ろ過膜の二次側に接続された排出ラインから、処理水槽に排出する膜ろ過処理を行う膜ろ過装置のブロー装置であって、前記処理水槽の処理水を前記排出ラインに導入して、前記排出ラインにおける前記ろ過膜の二次側近傍から排出するブロー処理を行う膜ろ過装置のブロー装置である。
【００１４】
また、前記ブロー装置は、前記膜ろ過処理において、前記排出ラインにおける処理水流量が閾値以下となった場合、及び前記ろ過膜の二次側の圧力が閾値以下となった場合の少なくともいずれか一方を満たす場合に、前記ブロー処理を行うことが好ましい。
【発明の効果】
【００１５】
本発明によれば、ろ過膜の二次側の配管に空気が混入して、サイホン作用が失われることを抑制すること、又はサイホン作用が失われた場合であっても、サイホン作用を利用した膜ろ過処理を短時間で再開することが可能となる。
【図面の簡単な説明】
【００１６】
【図１】本実施形態に係る膜ろ過装置の一例を示す概略構成図である。
【図２】本実施形態に係る膜ろ過装置の他の一例を示す概略構成図である。
【発明を実施するための形態】
【００１７】
本発明の実施形態について以下説明する。本実施形態は本発明を実施する一例であって、本発明は本実施形態に限定されるものではない。
【００１８】
図１は、本実施形態に係る膜ろ過装置の一例を示す概略構成図である。図１に示す膜ろ過装置２０は、原水槽２２、ろ過膜２４が浸漬された浸漬槽２６、処理水槽２８を備える。処理水槽２８の水位が浸漬槽２６の水位より低い位置となるように、浸漬槽２６及び処理水槽２８が設置されている。
【００１９】
膜ろ過装置２０は、原水流入配管３０を備えている。原水槽２２に原水流入配管３０の一端が接続され、浸漬槽２６に原水流入配管３０の他端が接続されている。原水流入配管３０には原水ポンプ３２が設置されている。
【００２０】
膜ろ過装置２０は、サイホンろ過用排出ラインを備えている。サイホンろ過用排出ラインは、配管１、配管２、配管３、配管４から構成されている。配管１の一端がろ過膜２４の二次側に接続され、配管１から、配管２、配管３、配管４の順で接続され、配管４の一端が処理水槽２８に接続されている。配管２には、流量計３４及び圧力計３６が設置されている。流量計３４は、処理水の流量を検知するものであり、圧力計３６は、ろ過膜２４の二次側の圧力を検知するものである。また、配管３にはバルブ３ａが設置され、配管４にはバルブ４ａが設置されている。
【００２１】
膜ろ過装置２０は、吸引ろ過用排出ラインを備えている。吸引ろ過用排出ラインは、配管１、配管２、配管３、配管５、配管６、配管７から構成されている。配管１の一端がろ過膜２４の二次側に接続され、配管１から、配管２、配管３、配管５、配管６、配管７の順で接続され、配管７の一端が処理水槽２８に接続されている。配管５にはバルブ５ａが設置され、配管７にはバルブ７ａが設置されている。また、配管６には吸引ろ過／ブロー用ポンプ３８が設置されている。
【００２２】
膜ろ過装置２０は、ブローラインを備えている。ブローラインは、配管８、配管６、配管９、配管１０から構成されている。配管８の一端は処理水槽２８に接続され、配管８から、配管６、配管９の順で接続され、配管９の一端が配管２と配管３の接続点に接続されている。また、配管１０は、配管１と配管２の接続点に接続されている。配管８にはバルブ８ａが設置され、配管９にはバルブ９ａが設置され、配管１０にはバルブ１０ａが設置されている。
【００２３】
サイホンろ過用排出ラインと配管１０の接続位置は、配管１と配管２の接続点に制限されるものではなく、サイホンろ過用排出ラインにおけるろ過膜２４の二次側近傍であればよい。また、サイホンろ過用排出ラインの上流側をろ過膜２４の二次側に近づく方向とし、サイホンろ過用排出ラインの下流側をろ過膜２４の二次側から離れる方向とすると、サイホンろ過用排出ラインと配管９の接続位置は、サイホンろ過用排出ラインと配管１０の接続位置より、サイホンろ過用排出ラインの下流側であればよい。
【００２４】
膜ろ過装置２０は、逆洗ラインを備えている。逆洗ラインは、配管８、配管６、配管９、配管２、配管１により構成されている。配管８の一端は処理水槽２８に接続され、配管８から、配管６、配管９、配管２、配管１の順で接続され、配管１の一端がろ過膜２４の二次側に接続されている。
【００２５】
膜ろ過装置２０は、散気管４０、コンプレッサ４２、気体供給配管４４を備えている。散気管４０は浸漬槽２６内に設置されている。散気管４０とコンプレッサ４２とは気体供給配管４４により接続されている。
【００２６】
膜ろ過装置２０は、制御装置４６を備えている。制御装置４６は、各ポンプ及び各バルブと電気的に接続され、制御装置４６によって、以下で説明する各ポンプの稼働・停止、及び各バルブの開閉等が制御される。また、制御装置４６は、流量計３４及び圧力計３６と電気的に接続され、流量計３４により検知された処理水の流量データや圧力計３６により検知されたろ過膜の二次側の圧力データが入力される。
【００２７】
図１に示す膜ろ過装置２０の動作の一例について説明する。
【００２８】
まず、原水ポンプ３２を稼働させ、原水槽２２内の被処理水を原水流入配管３０から浸漬槽２６に供給する。そして、運転初期段階においては、吸引ろ過／ブロー用ポンプ３８を稼働させると共に、配管３のバルブ３ａ、配管５のバルブ５ａ、配管７のバルブ７ａを開放することによって、浸漬槽２６内の被処理水はろ過膜２４によりろ過され、ろ過膜２４を透過した処理水は、吸引ろ過用排出ラインを通り（配管１→配管２→配管３→配管５→配管６→配管７を通り）、処理水槽２８に強制排出される（吸引式の膜ろ過工程）。
【００２９】
例えば、所定時間後、又は流量計３４により処理水流量が規定値に達した後、吸引ろ過／ブロー用ポンプ３８を停止すると共に、配管５のバルブ５ａ、配管７のバルブ７ａを閉じ、配管４のバルブ４ａを開放する。処理水槽２８内の処理水の水位は、浸漬槽２６の被処理水の水位よりも低く設定されているので、浸漬槽２６内の被処理水はろ過膜２４によりろ過され、ろ過膜２４を透過した処理水は、サイホンの作用によって、サイホンろ過用排出ラインを通り（配管１→配管２→配管３→配管４を通り）、処理水槽２８に自然排出される（サイホン式の膜ろ過工程）。サイホン式の膜ろ過工程では、動力源を使わないので、ランニングコストを抑えることができる。
【００３０】
次に、サイホンろ過用排出ライン内に空気が混入した場合等におけるブロー工程について説明する。ブロー工程では、吸引ろ過／ブロー用ポンプ３８を稼働させると共に、配管３のバルブ３ａ、配管４のバルブ４ａを閉じ、配管９のバルブ９ａ及び配管１０のバルブ１０ａを開放することによって、処理水槽２８内の処理水を、ブローラインの配管８、配管６、配管９を通して、サイホンろ過用排出ラインの配管２に導入し、配管２を経由して、ろ過膜２４の二次側近傍に位置する配管１０から排出させる。このように、処理水をサイホンろ過用排出ラインから導入して、当該ラインにおけるろ過膜２４の二次側近傍から排出するブロー工程を行うことで、サイホンろ過用排出ライン内に混入した空気は、処理水の流れに同伴されて移動し系外へ排出される。
【００３１】
ブロー工程は、所定時間毎に実施してもよいし、以下に説明するように、処理水流量及びろ過膜２４の二次側の圧力のうちいずれか一方が閾値以下となった場合に実施してもよい。
【００３２】
サイホンろ過用排出ライン内への空気の混入が進行していくと、サイホン作用が失われていくため、サイホンろ過用排出ラインを流れる処理水の流量が低下し、また、ろ過膜２４の二次側の圧力も低下していく。ここで、ろ過膜２４の二次側の圧力とは、大気圧と吸引圧力との差の絶対値である。そこで、処理水流量及びろ過膜２４の二次側の圧力に対してそれぞれ閾値を設定し、流量計３４によって計測された値が設定した閾値以下となった場合、圧力計３６によって計測された値が設定した閾値以下となった場合のうちいずれか一方を満たす場合に、制御装置４６は、吸引ろ過／ブロー用ポンプ３８の稼働、各バルブの開閉等を制御し、前述のブロー工程を行う。
【００３３】
このようなブロー工程によって、サイホンろ過用排出ライン内の空気は除去され、処理水で満たされるため、ブロー工程を行わずにサイホン式の膜ろ過工程を継続した場合と比較して、空気混入によるサイホン作用の消失が抑制される。また、サイホン式の膜ろ過工程において、空気混入によるサイホン作用が失われた場合であっても、本実施形態のブロー工程によれば、サイホンろ過用排出ライン内の空気を速やかに除去することができるため、サイホン式の膜ろ過工程を短時間で再開することができる。なお、吸引ろ過／ブロー用ポンプ３８を稼働させて、ろ過膜２４を透過した処理水をサイホンろ過用排出ライン側に強制的に送ることでも、当該ライン内の空気を除去することは可能であるが、本実施形態のブロー工程と比較すれば、空気除去に時間が掛かり、また吸引ろ過／ブロー用ポンプ３８の出力も増大させなければならないため、サイホン式の膜ろ過工程を再開するまでに時間が掛かり、さらにランニングコストも増大する。さらに、吸引ろ過／ブロー用ポンプ３８を稼働させて、ろ過膜２４を透過した処理水をサイホンろ過用排出ライン側に強制的に送ると、サイホンろ過用排出ライン内に混入した空気がポンプ内に溜まり、ポンプ自体の性能を低下させる虞があるが、本実施形態のブロー工程によれば、ポンプ内の空気溜まりも抑制される。
【００３４】
ブロー工程後は、サイホン式の膜ろ過工程を再開してもよいし、吸引式の膜ろ過工程後にサイホン式の膜ろ過工程を再開してもよい。或いは、ブロー工程後に、以下に説明する逆洗工程を実施し、サイホン式や吸引式の膜ろ過工程を行ってもよい。
【００３５】
逆洗工程では、吸引ろ過／ブロー用ポンプ３８を稼働させると共に、配管８のバルブ８ａ、配管９のバルブ９ａを開放し（その他の配管のバルブが閉じた状態）、処理水槽２８内の処理水を、配管８、配管６、配管９、配管２、配管１を経由して、ろ過膜２４の二次側から一次側に通液させる。この逆洗工程により、ろ過膜２４に堆積した堆積物を剥離することができる。なお、逆洗工程の際には、コンプレッサ４２を稼働させ、空気等の気体を気体供給配管４４、散気管４０を通して、浸漬槽２６に供給し、ろ過膜２４を振動させるエアスクラビングを行っても良い。また、逆洗工程では、次亜塩素酸等の洗浄液をろ過膜２４の二次側から一次側に通液させてもよい。
【００３６】
洗浄工程は、所定時間毎に行ってもよいし、以下に説明するように、処理水流量が閾値以下で、ろ過膜２４の二次側の圧力が閾値超である場合に実施してもよい。処理水流量の閾値、ろ過膜２４の二次側の圧力の閾値は、前述のブロー工程で設定した閾値とすることが望ましい。
【００３７】
膜ろ過処理において、ろ過膜２４に堆積物が堆積して、ろ過膜２４が閉塞していくと、サイホンろ過用排出ラインを流れる処理水の流量が低下する一方で、ろ過膜２４の二次側の圧力はほとんど変化しない。そこで、流量計３４によって計測された値が設定した閾値以下となった場合であって、圧力計３６によって計測された値が設定した閾値超である場合に、制御装置４６は、吸引ろ過／ブロー用ポンプ３８の稼働、各バルブの開閉等を制御し、前述の逆洗工程を行う。
【００３８】
また、ブロー工程及び洗浄工程を、処理水流量及びろ過膜２４の二次側の圧力で管理する場合、処理水流量が閾値以下であって、ろ過膜２４の二次側の圧力が閾値以下の場合に、前述のブロー工程を行い、処理水流量が閾値以下であって、ろ過膜２４の二次側の圧力が閾値超である場合に、前述の逆洗工程を行うことが好ましい。このような制御により、サイホンろ過用排出ラインに空気が混入した場合、ろ過膜２４が閉塞した場合それぞれに対して、適切な処理が可能となる。なお、逆洗工程は必須ではないので、例えば、逆洗工程に代えて警報を鳴らして、ろ過膜の交換を促してもよい。
【００３９】
図２は、本実施形態に係る膜ろ過装置の他の一例を示す概略構成図である。図２に示す膜ろ過装置２１において、図１に示す膜ろ過装置２０と同様の構成については同一の符号を付し、その説明を省略する。なお、図２において制御装置４６は省略するが、図２に示す膜ろ過装置２１においても同様に制御装置４６を備えている。
【００４０】
図２に示す膜ろ過装置２１は、混合槽４８を備える。混合槽４８は、隔壁により原水導入部５０と本体部５２に区画され、また、本体部５２は、隔壁により本体部５２ａ、本体部５２ｂに区画されている。但し、原水導入部５０は上部が開放されている。また、本体部５２を区画する隔壁の下部には開口部が設けられ、本体部５２ａと本体部５２ｂは開口部を通して連通している。また、本体部５２ａ、本体部５２ｂには撹拌機５４が設置されている。
【００４１】
図２に示す膜ろ過装置２１において、混合槽４８と浸漬槽２６とは隣接しており、混合槽４８から浸漬槽２６への被処理水の供給は越流式となっている。また、浸漬槽２６は、隔壁により原水導入部５６と本体部５８に区画されている。但し、隔壁の下部には開口部が設けられ、原水導入部５６と本体部５８とは開口部を通して連通している。また、浸漬槽２６の底部側面には、汚泥排出管６０が接続されている。汚泥排出管６０にはバルブ６０ａが設置されている。汚泥排出管６０は浸漬槽２６内の汚泥を排出するための配管である。
【００４２】
図２に示す膜ろ過装置２１において、配管１０の一端は、配管１と配管２の接続点に接続され、他端は浸漬槽２６に接続されている。
【００４３】
図２に示す膜ろ過装置２１の動作の一例について説明する。
【００４４】
まず、原水ポンプ３２を稼働させ、原水槽２２内の被処理水を原水流入配管３０から混合槽４８に供給する。被処理水は、混合槽４８の原水導入部５０を通り、上部から本体部５２に導入される。本体部５２ａ、５２ｂ内では、撹拌機５４により被処理水が混合される。図での説明は省略するが、混合槽４８の本体部５２に凝集剤を添加し、凝集処理を行ってもよい。凝集処理を行うことで、原水中の有機物がフロックに取り込まれ、膜の目詰まりを抑制する効果がある点で、混合槽４８を設置することが望ましい。
【００４５】
本体部５２ｂ内の被処理水は浸漬槽２６側へ越流して、浸漬槽２６の原水導入部５６から本体部５８に導入される。そして、運転初期段階においては、吸引ろ過／ブロー用ポンプ３８を稼働させると共に、配管３のバルブ３ａ、配管５のバルブ５ａ、配管７のバルブ７ａを開放することによって、浸漬槽２６内の被処理水はろ過膜２４によりろ過され、ろ過膜２４を透過した処理水は、吸引ろ過用排出ラインを通り（配管１→配管２→配管３→配管５→配管６→配管７を通り）、処理水槽２８に強制排出される（吸引式の膜ろ過工程）。
【００４６】
次に、吸引ろ過／ブロー用ポンプ３８を停止すると共に、配管５のバルブ５ａ、配管７のバルブ７ａを閉じ、配管４のバルブ４ａを開放することによって、浸漬槽２６内の被処理水はろ過膜２４によりろ過され、ろ過膜２４を透過した処理水は、サイホンの作用によって、サイホンろ過用排出ラインを通り（配管１→配管２→配管３→配管４を通り）、処理水槽２８に自然排出される（サイホン式の膜ろ過工程）。
【００４７】
ブロー工程を行う場合には、吸引ろ過／ブロー用ポンプ３８を稼働させると共に、配管３のバルブ３ａ、配管４のバルブ４ａを閉じ、配管９のバルブ９ａ及び配管１０のバルブ１０ａを開放することによって、処理水槽２８内の処理水を、ブローラインの配管８、配管６、配管９を通して、サイホンろ過用排出ラインの配管２に導入し、配管２、配管１０を経由して、浸漬槽２６に排出させる。サイホンろ過用排出ライン内に混入した空気は、処理水の流れに同伴されて移動し、配管１０から浸漬槽２６へ排出される。なお、逆洗工程を行う場合は前述した通りであるので、説明を省略する。
【００４８】
本実施形態において処理する被処理水は、如何なる由来の水でもよく、例えば、浄水、下水、し尿、産業排水等が挙げられる。
【００４９】
本実施形態で使用するろ過膜２４の形状は、特に限定されるものではなく、例えば、中空糸、管状膜、平膜、スパイラル等が挙げられる。ろ過膜２４は、例えば、限外ろ過膜（ＵＦ膜）、精密ろ過膜（ＭＦ膜）、逆浸透膜（ＲＯ膜）等が挙げられる。ろ過膜２４の材質は、例えば、ポリフッ化ビニリデン（ＰＶＤＦ）、ポリ塩化ビニル（ＰＶＣ）、ポリエーテルサルフォン（ＰＥＳ）、セルロースアセテート（ＣＡ）等の有機膜、セラミック製の無機膜等が挙げられる。
【００５０】
処理水槽２８内の処理水の水位は、サイホン作用を利用する点で、浸漬槽２６の被処理水の水位よりも低く設定されていれば特に制限されるものではないが、例えば、浸漬槽２６の水位と処理水槽２８の水位との差が１ｍ〜５ｍの範囲であることが好ましい。浸漬槽２６の水位と処理水槽２８の水位との差が１ｍ未満であると、ろ過膜２４を透過した処理水の流速が低下し、一定量の処理水を得るのに時間が掛かる場合がある。また、浸漬槽２６の水位と処理水槽２８の水位との差が５ｍ超であると、負圧による配管や計器破損対策が必要となる場合がある。
【００５１】
浸漬槽２６内のろ過膜２４は、その上端が浸漬槽２６の水位より低い位置となるように設置されることが望ましく、例えば、ろ過膜２４の上端から浸漬槽２６の水位までの距離は１０ｃｍ以上であることが好ましい。ろ過膜２４の上端から浸漬槽２６の水位までの距離が１０ｃｍ未満であると、汚泥引抜時等に膜の上端が水位よりも高くなり、膜面積を有効に使えない場合がある。また、浸漬槽２６内のろ過膜２４は、その下端が浸漬槽２６の底部から離れるように設置されることが望ましく、例えば、ろ過膜２４の下端から浸漬槽２６の底部までの距離が５０ｃｍ以上であることが好ましい。ろ過膜２４の下端から浸漬槽２６の底部までの距離が５０ｃｍ未満であると、洗浄時に巻き上がった汚泥が膜面に付着して、閉塞の原因となる場合がある。
【００５２】
サイホンろ過用排出ラインと配管１０の接続位置は、ろ過膜２４の二次側近傍であればよいが、サイホンろ過用排出ラインに混入した空気は、当該ラインの上部に溜まり易いため、当該ラインの最上部より、サイホンろ過用排出ラインの上流側（ろ過膜２４の二次側に近づく方向）であることが望ましい。具体的には、一方がろ過膜２４の二次側に接続され、浸漬槽２６の上方まで立ち上がる配管１に配管１０が接続されることが望ましい。サイホンろ過用排出ラインと配管９の接続位置は、サイホンろ過用排出ラインと配管１０の接続位置より、サイホンろ過用排出ラインの下流側（ろ過膜２４の二次側から離れる方向）であればよいが、サイホンろ過用排出ラインに混入した空気は、当該ラインの上部に溜まり易いため、当該ラインの最上部より、サイホンろ過用排出ラインの下流側（ろ過膜２４の二次側から離れる方向）とすることが望ましい。
【実施例】
【００５３】
以下、実施例および比較例を挙げ、本発明をより具体的に詳細に説明するが、本発明は、以下の実施例に限定されるものではない。
【００５４】
＜実施例＞
図１に示す排水処理装置によるサイホン式の膜ろ過工程中に、配管１０から意図的に空気を送り込み、サイホン作用を消失させた。直ちに、ブロー工程を２０秒間行った後、サイホン式の膜ろ過工程を再開した結果、再開から約１０秒間で、ろ過膜の二次側から排出される処理水の流量が設定流量に達した。表１に、ブロー工程及びサイホン式の膜ろ過工程の経過時間における吸引ポンプの出力及びろ過流量の結果をまとめた。
ろ過流量（％）＝（ろ過膜の二次側から排出される処理水流量／設定流量）×１００
【００５５】
＜比較例＞
図１に示す排水処理装置によるサイホン式の膜ろ過工程中に、配管１０から意図的に空気を送り込み、サイホン作用を消失させた。直ちに、吸引ポンプを稼働させ、吸引式の膜ろ過工程を行った結果、ろ過膜の二次側から排出される処理水の流量が設定流量に達したのは、吸引式の膜ろ過工程開始から８０秒後であった。その後、サイホン式の膜ろ過工程に移行した。表１に、吸引式の膜ろ過工程及びサイホン式の膜ろ過工程の経過時間における吸引ポンプの出力及びろ過流量の結果をまとめた。
【００５６】
【表１】
2018143964.tif 000003
【００５７】
表１から分かるように、ブロー工程により配管中の空気を除去した実施例の方が、吸引式の膜ろ過工程により配管中の空気を除去した比較例より、サイホン作用消失後から短時間でサイホン式の膜ろ過工程を再開することができた。また、実施例の方が、吸引ポンプの出力は小さく、稼働時間も短くて済むので、動力コストを抑えることも期待される。
【符号の説明】
【００５８】
１〜１０  配管、３ａ，４ａ，５ａ，７ａ，８ａ，９ａ，１０ａ，６０ａ  バルブ、２０，２１  膜ろ過装置、２２  原水槽、２４  ろ過膜、２６  浸漬槽、２８  処理水槽、３０  原水流入配管、３２  原水ポンプ、３４  流量計、３６  圧力計、３８  吸引ろ過／ブロー用ポンプ、４０  散気管、４２  コンプレッサ、４４  気体供給配管、４６  制御装置、４８  混合槽、５０，５６  原水導入部、５２，５２ａ，５２ｂ，５８  本体部、５４  撹拌機、６０  汚泥排出管。
【図１】
2018143964.tif 000004
【図２】
2018143964.tif 000005